(57)【要約】【課題】クライアントが電子電気機器収納用キャビネットについて十分な知識を持っていない場合にも、用途に適したキャビネットを注文することができる電子電気機器収納用キャビネットの選定システムを提供する。【解決手段】端末コンピュータ2からサーバコンピュータ1に送信してクライアントの用途に適した電子電気機器収納用キャビネットを選定するシステムであって、キャビネット選択カテゴリをキャビネットの用途別に複数階層に区分して、また、各カテゴリは細分化された複数の選択項目により構成して、各カテゴリの選択項目を選択するたびに選択コードを累積的に記憶するコード保持手段12と、保持したコードより次選択画面を決定する選択画面決定手段14を保持したコードが特定の条件であるとき、ある階層のカテゴリの選択を省略することができるものとして構成し、完成したコードをキャビネットデーターベース17に照合して適切なキャビネットを選定する。【選択図】図１
2008287576.tif 000002
【特許請求の範囲】
【請求項１】
クライアント側の端末コンピュータからネットワークを介してメーカー側のサーバコンピュータに送信してクライアントの用途に適した電子電気機器収納用キャビネットを選定するシステムであって、キャビネット選択カテゴリをキャビネットの用途別に複数階層に区分して、また、該各カテゴリは細分化された複数の選択項目により構成して、各カテゴリの選択項目を選択するたびに選択コードを累積的に記憶するコード保持手段と、保持したコードより次の選択画面を決定する選択画面決定手段を保持したコードが特定の条件であるとき、ある階層のカテゴリの選択を省略することができるものとして構成し、完成したコードをキャビネットデーターベースに照合して適切なキャビネットを表示することを特徴とする電子電気機器収納用キャビネットの選定システム。
【発明の詳細な説明】
【技術分野】
【０００１】
本発明は、クライアントが電子電気機器収納用キャビネットについて十分な知識を持っていない場合にも、クライアントの用途に適した電子電気機器収納用キャビネットを注文することができる電子電気機器収納用キャビネットの選定システムに関するものである。
【背景技術】
【０００２】
従来、クライアントがメーカに電子電気機器収納用キャビネットを注文する場合には、端末コンピュータの検索画面に表示される電子電気機器収納用キャビネットの機能や性能の項目を選択することにより、用途に応じた製品を選定していた。しかし、このような選定例では電子電気機器収納用キャビネットの機能や性能について知識がないと正確・迅速に適切な電子電気機器収納用キャビネットを選定することが困難であった。
【０００３】
例えば、クライアントがネットワークを介して直接メーカーのサーバーに送信してクライアントの用途に適した製品を選定するシステムとして下記の特許文献のものも知られている。しかし、これらはクライアントが製品に対する知識があまり無い場合には、数が非常に多い選択ステップも処理できず、適切な製品の選択することが困難であった。
【特許文献１】特開２００６−１０７０１７
【発明の開示】
【発明が解決しようとする課題】
【０００４】
本発明は前記のような問題を解決して、クライアントが電子電気機器収納用キャビネットについて十分な知識を持っていない場合にも、用途を選択するのみでクライアントの用途に適した機能、性能を持つ電子電気機器収納用キャビネットを正確、迅速に選定するすることができる電子電気機器収納用キャビネットの選定システムを提供するためになされたものである。
【課題を解決するための手段】
【０００５】
前記の課題を解決するためになされた本発明の電子電気機器収納用キャビネットの選定システムは、クライアント側の端末コンピュータからネットワークを介してメーカー側のサーバコンピュータに送信してクライアントの用途に適した電子電気機器収納用キャビネットを選定するシステムであって、キャビネット選択カテゴリをキャビネットの用途別に複数階層に区分して、また、該各カテゴリは細分化された複数の選択項目により構成して、各カテゴリの選択項目を選択するたびに選択コードを累積的に記憶するコード保持手段と、保持したコードより次の選択画面を決定する選択画面決定手段を保持したコードが特定の条件であるとき、ある階層のカテゴリの選択を省略することができるものとして構成し、完成したコードをキャビネットデーターベースに照合して適切なキャビネットを表示することを特徴とするものである。
【発明の効果】
【０００６】
本発明の電子電気機器収納用キャビネットの選定システムは、キャビネットの用途別に区分された複数階層のキャビネット選択カテゴリが細分化された複数の選択項目により構成しており、各カテゴリの選択項目を選択するたびに選択コードをコード保持手段に累積的に記憶して、コード保持手段により保持したコードより次選択画面を決定する選択画面決定手段で構成したものであるので、クライアントが電子電気機器収納用キャビネットの性能、機能に関して十分な知識を持たない場合にも、完成したコードをキャビネットデーターベースと照合して適切なキャビネットを表示することができるものである。
【０００７】
また、この発明は保持したコードより次選択画面を決定する選択画面決定手段を保持したコードが特定の条件であるとき、ある階層のカテゴリの選択を省略することができるから、クライアントが必要のない選択ステップを踏むことなく迅速に目的とするキャビネットの選定を行うことができるものである。
【発明を実施するための最良の形態】
【０００８】
次に、本発明の好ましい実施の形態を図を参照して説明する。
図１は本発明の電子電気機器収納用キャビネットの選定システムのシステム構成図であり、メーカー側のサーバコンピュータ１とクライアント側の端末コンピュータ２とこれらを接続するネットワーク３から構成されている。
【０００９】
前記メーカー側のサーバコンピュータ１は、端末コンピュータ２に選択画面を提供する選択画面提供手段１１、選択項目のコードを累積的に記憶するコード保持手段１２、累積的に記憶したコードが完成したこと判定するコード判定手段１３、選択されたコードにより次の選択画面を決定する選択画面決定手段１４、完成された選択コードをキャビネットデータベース１７に照会して製品検索を行う製品検索手段１５、選択画面データベース１６及びキャビネットデータベース１７を備えるものである。
【００１０】
また、クライアント側の端末コンピュータ２は電子電気機器収納用キャビネットの選定入力手段を備えており、ハードウエアとしてはキーボード、マウス等の入力装置２１と表示部２２及びネットワーク３に接続するためのインターフェイス２３からなるものである。
【００１１】
図２は本発明の製品選択入力システムのフロー図である。
この製品選択入力システムは、サーバの選択画面提供手段１１によって提供される製品の選択画面１０１にて、用途別に複数階層に区分けされたキャビネット選択カテゴリ内の選択項目を選択し、選択情報に付与されている選択コードをコード保持手段１２にて保持する。
【００１２】
さらに、コード判定手段１３にてコードの累積が完了したか否かを判定した後、選択コードに応じて次に表示する選択画面を選択画面決定手段１４が選択画面データベース１６に照会して決定する。このように決定された次選択画面１０２を端末コンピュータ２に表示し次の選択項目を選択させるものである。なお、コード保持手段１２は選択が繰り返されるたびに、選択コードを累積的に保持するものである。コード判定手段１３にて選択が完了したことが判定されると、製品検索手段１５によりキャビネットデータベース１７を照会して、選択された条件の製品の検索が行われ、製品表示手段１８としての端末コンピュータ２の表示部２２に選択結果が表示されるものである。
【００１３】
図３は選択画面データーベース１６の構造の１例を示すフロー図であり、キャビネットの設置場所、設置環境、収納機器等の用途別に複数階層の選択カテゴリにより構成されている。すなわち、設置場所：カテゴリＡ、カテゴリＢ、設置環境（防水）：カテゴリＣ、設置環境（粉塵）：カテゴリＤ、収納機器：カテゴリＧ、通信監視機器関連：カテゴリＨ、箱タイプ：カテゴリＪのような複数階層に構成されている。
【００１４】
また、各選択カテゴリに複数の選択項目が用意されている。そして、これら各選択項目には次選択カテゴリのコードと対応するコードが割り振られている。
【００１５】
すなわち、設置場所のカテゴリにはＡのコードを割り振り、このカテゴリＡを「工場」、「ビル・オフィス・店舗」、「屋外施設」、・・・等の選択項目に細分化している。そして、細分化した選択項目である「工場」、「ビル・オフィス・店舗」、「屋外施設」、・・・等にこれと対応する次選択カテゴリのコードである「工場：Ｂ１」、「ビル・オフィス・店舗：Ｂ２」、「屋外施設：Ｂ３」、等のコードを割り振りっている。そして、この次選択カテゴリＢ１、Ｂ２、Ｂ３、等も細分化した選択項目で構成して、選択項目の特性に対応させて次選択カテゴリに対応させたコードを割り振っている。「ビル・オフィス・店舗：Ｂ２」の細分化した選択項目に「オフィス室内：Ｇ１」、「地下室・機械室：Ｃ１」等と、「屋外施設：Ｂ３」の細分化した選択項目に「駐車場：Ｃ２」、「屋外プール：Ｇ２」等のように次選択カテゴリのコードを割り振っている。そして、細分化した選択項目が最終である場合には次選択カテゴリのコードの代わりに「ＥＮＤ」を割り振っている。
【００１６】
図４はキャビネットデーターベース１７の１例を示す図であり、完成されたコードを充足するキャビネット（Ｂｏｘ番号）と照合するものである。
【００１７】
以下に、本発明の電子電気機器収納用キャビネットの選定システムによるキャビネットの選定例を説明する。
【００１８】
[選定例１]
先ず、図３の（イ）のステップを踏んでクライアントが端末コンピュータ２から用途に適した電気機器収納用キャビネットを注文するには、図５に示す初期の選択画面１０１に表示された設置場所（選択項目）の「工場（Ｂ１）」、「ビル・オフィス・店舗（Ｂ２）」、「屋外施設（Ｂ３）」等から選択する（例えば、屋外施設）。そして、選択項目に対応するコード（屋外施設：Ｂ３）をコード保持手段１２に１時的に保持してそのアイコンを次選択画面１０２に表示するものとする。続いて、保持したコードに対応した次選択カテゴリ（Ｂ３）を選択画面データーベース１６を参照して、選択画面決定手段１４により次選択画面１０２を決定して、図６に示すように次選択画面１０２を表示し、屋外施設（選択項目）の「屋外駐車場」、「屋外プール」、「公園」等の選択項目から選択する（例えば、屋外駐車場）。そして、選択項目に対応するコード（屋外駐車場：Ｃ２）をコード保持手段１２に前記１時的に保持したコード（屋外施設：Ｂ３）と累積的に保持（屋外施設・屋外駐車場：Ｂ３Ｃ２）して同様に次選択画面にこのアイコンも累積的に表示する。
【００１９】
その後も同様に、図７に示す次選択画面１０２の施設環境カテゴリ（防水）：Ｃより選択項目「上からの飛沫」を選択すれば、この選択項目「上からの飛沫」にはこれに対応する次選択カテゴリのコード「Ｄ２」が割り振られているので、該コード「Ｄ２」を選択する。そうすれば、図８に示す次選択画面１０２の施設環境カテゴリ（防塵）が表示されるので、このカテゴリより選択項目「埃が多い」を選択すれば、この選択項目「埃が多い」にはこれに対応する次選択カテゴリのコード「Ｇ２」が割り振られているので、該コード「Ｇ２」を選択する。これにより、図９に示す次選択画面１０２の収納機器カテゴリ（Ｇ２）が表示されるので、このカテゴリより選択項目「通信監視機器関連」を選択すれば、この選択項目「通信監視機器関連」にはこれに対応する次選択カテゴリのコード「Ｈ２」が割り振られているので、該コード「Ｈ２」を選択する。そうすれば、図１０に示す次選択画面１０２の収納機器カテゴリ（Ｈ２）が表示されるので、この収納機器カテゴリ（Ｈ２）より選択項目「通信監視機器」を選択すれば、この「通信監視機器」には次選択カテゴリのコード「Ｊ２」が割り振られているので、該コード「Ｊ２」を選択する。そうすれば、図１１に示す次選択画面１０２の箱タイプカテゴリ（Ｊ２）が表示されるので、この箱タイプカテゴリ（Ｊ２）より選択項目「自立」を選択すれば、この選択項目「自立」は細分化した選択項目の最終であるので次選択カテゴリのコードとして「ＥＮＤ」が割り振られているので、コード保持手段１２に「ＥＮＤ」が記録されてコード判定手段１３にて累積したコードが完成したと判断される。そこで、コード判定手段１３により完成したコードを製品検索手段１５に送りキャビネットデーターベース１７に照合すれば製品表示手段１８により図１２に示す最終の次選択画面１０２のように目的のキャビネットを複数表示するので、この中からクライアントの希望するキャビネットを選定すればよいものである。
【００２０】
すなわち、完成された累積的に保持されたコードが（Ｂ３Ｃ２Ｄ２Ｇ２Ｈ２Ｊ２）の場合には、このコードを図４のキャビネットデーターベースに照合すれば、このコードを全て充足するものとしてＢｏｘ８、Ｂｏｘ９、Ｂｏｘ１０が選定されて、これらＢｏｘ８、Ｂｏｘ９、Ｂｏｘ１０が図１２に示すように表示さものである。
【００２１】
[選定例２]
次に、図３の（ロ）のステップを踏んでクライアントが端末コンピュータ２から用途に適した電気機器収納用キャビネットを注文する際の選定例２は、コードが特定の条件であるとき、ある階層のカテゴリの選択を省略するものである。
すなわち、前記選定例１と同様に、前記選定例１の図５同様の図１３に示す初期の選択画面１０１に表示された設置場所（選択項目）の「工場（Ｂ１）」、「ビル・オフィス・店舗（Ｂ２）」、「屋外施設（Ｂ３）」等から選択する（例えば、「ビル・オフィス・店舗（Ｂ２）」。そして、選択項目に対応するコード（「ビル・オフィス・店舗：Ｂ２」をコード保持手段１２に１時的に保持してそのアイコンを次選択画面１０２に表示するものとする。続いて、保持したコードに対応した次選択カテゴリ（Ｂ２）を選択画面データーベース１６を参照して、選択画面決定手段１４により次選択画面１０２を決定して図１５に示すように表示し、次選択画面１０２より「オフィス室内」を選択する。この場合に「オフィス室内」は防水・防塵性能を考慮しなくてよいから、防水・防塵性能に関連するカテゴリを選択する必要がないので、「オフィス室内」の対応コードに防水及び防塵のカテゴリのコード（Ｃ、Ｄ）を割り振らず、これらコード（Ｃ、Ｄ）の次の階層カテゴリである収納機器カテゴリに対応させたコード（Ｇ１）を割り振っている。
【００２２】
したがって、防水及び防塵のカテゴリ（Ｃ、Ｄ）の選択を省略して図１４に示す収納機器カテゴリ（Ｇ１）の画面まで飛んで収納機器カテゴリ（Ｇ１）の選択項目が表示されるので、この選択項目よりクライアントが実際に収納する「ＨＵＢ」を選択すれば、この選択項目「ＨＵＢ」にはこれに対応する次選択カテゴリのコード「Ｊ１」が割り振られているので、該コード「Ｊ１」を選択する。そうすれば、図１６に示す次選択画面１０２の箱タイプカテゴリ（Ｊ１）が表示されので、この箱タイプカテゴリ（Ｊ１）より選択項目「自立」を選択すれば、この選択項目「自立」は細分化した選択項目の最終で次選択カテゴリのコードとして「ＥＮＤ」が割り振られているので、コード保持手段１３に「ＥＮＤ」が記録されてコードの累積が完成された判定され、製品検索手段１５により、累積的に保持されたコードをキャビネットデーターベース１７に照合して図１７に示す最終の次選択画面１０２ように目的のキャビネットが複数表示されるので、この中からクライアントの用途に合ったキャビネットを選定すればよいものである。なお、設置場所が「オフィス室内」であるので、箱タイプカテゴリ（Ｊ１）の選択項目には「オフィス室内」で使用されることのない「ポール／コン柱取付」の箱タイプは予め選択されない構成としている。
【００２３】
すなわち、完成された累積的に保持されたコードが（Ｂ２Ｇ１Ｈ１Ｊ１）となり、このコードを図４のキャビネットデーターベース１７に照合すれば、このコードを全て充足するものとしてＢｏｘ１２、Ｂｏｘ１３、Ｂｏｘ１４が選定されて、図１７に示すように表示されるものである。
【図面の簡単な説明】
【００２４】
【図１】本発明の電子電気機器収納用キャビネットの選定システムのシステム構成図である。
【図２】本発明の製品選択入力システムの流れを示すフローチャートである。
【図３】選択画面データーベースの構造の１例を示す図である。
【図４】キャビネットデーターベースの１例を示す図である。
【図５】選定例１の初期の選択画面を示す図である。
【図６】選定例１の次選択画面の１例を示す図である。
【図７】選定例１の次選択画面の１例を示す図である。
【図８】選定例１の次選択画面の１例を示す図である。
【図９】選定例１の次選択画面の１例を示す図である。
【図１０】選定例１の次選択画面の１例を示す図である。
【図１１】選定例１の次選択画面の１例を示す図である。
【図１２】選定例１の最終の次選択画面の１例を示す図である。
【図１３】選定例２の初期の選択画面を示す図である。
【図１４】選定例２の次選択画面の１例を示す図である。
【図１５】選定例２の次選択画面の１例を示す図である。
【図１６】選定例２の次選択画面の１例を示す図である。
【図１７】選定例２の最終の次選択画面の１例を示す図である。
【符号の説明】
【００２５】
１  メーカー側のサーバコンピュータ
12  コード保持手段
14  選択画面決定手段
16  キャビネットデーターベース
２  クライアント側の端末コンピュータ
３  ネットワーク
【図１】
2008287576.tif 000003
【図２】
2008287576.tif 000004
【図３】
2008287576.tif 000005
【図４】
2008287576.tif 000006
【図５】
2008287576.tif 000007
【図６】
2008287576.tif 000008
【図７】
2008287576.tif 000009
【図８】
2008287576.tif 000010
【図９】
2008287576.tif 000011
【図１０】
2008287576.tif 000012
【図１１】
2008287576.tif 000013
【図１２】
2008287576.tif 000014
【図１３】
2008287576.tif 000015
【図１４】
2008287576.tif 000016
【図１５】
2008287576.tif 000017
【図１６】
2008287576.tif 000018
【図１７】
2008287576.tif 000019